(57)【特許請求の範囲】
【請求項１】
被記録媒体を送り方向へ搬送する搬送手段と、
被記録媒体が送られる経路である送り経路と、
少なくとも前記送り経路を覆うケースと、
前記搬送手段より記録時の送り方向下流側に設けられ、被記録媒体に対してインクを吐出して記録する記録ヘッドを有し、被記録媒体の幅方向へ移動するキャリッジと、
前記送り経路の送り方向と直交する前記ケースの面に設けられ、前記送り経路において被記録媒体が詰まった場合に、詰まった被記録媒体を前記ケースの内部の前記送り経路から除去するために、前記ケースにおける前記キャリッジより記録時の送り方向下流側に設けられた開口部と、
前記キャリッジに接続されている可撓性部材を保護する保護部材と、を備え、
前記可撓性部材は、前記キャリッジから一つの方向に延設されており、
前記キャリッジが幅方向の一端側から他端側へ移動することに伴い、前記可撓性部材が描く弧の大きさが小さくなり、
前記他端側から前記一端側へ移動することに伴い、前記可撓性部材が描く弧の大きさが大きくなる構成であり、
前記保護部材は、鉛直方向で前記可撓性部材と重なるように、前記開口部における前記鉛直方向の下方から、前記ケース内の前記送り経路の上流側へ延びることを特徴とする記録装置。
【請求項２】
請求項１に記載の記録装置において、前記可撓性部材は、インクチューブであることを特徴とする記録装置。
【請求項３】
請求項１または２に記載の記録装置において、前記可撓性部材は、電線であることを特徴とする記録装置。
【請求項４】
請求項１から３のいずれか１項に記載の記録装置において、前記ケースの外部から前記開口部を介して内部へ向かって見て、前記保護部材における前記可撓性部材が移動する範囲に応じた形状は、少なくとも前記可撓性部材が移動する範囲を覆う形状であることを特徴とする記録装置。
【発明の詳細な説明】
【技術分野】
【０００１】
本発明は、媒体が送られる経路と、媒体を搬送する搬送手段と、所定の方向へ移動するキャリッジとを備えた記録装置に関する。  
本願において、記録装置には、インクジェットプリンター、複写機、ファクシミリ等の種類が含まれるものとする。
【背景技術】
【０００２】
従来では、特許文献１〜３に示す如く、画像形成装置は、転写材である用紙が送られる経路と、用紙を搬送する搬送手段とを備えていた。そして、用紙が前記経路内で詰まった所謂、紙ジャムが生じた場合、カバーを開けて前記経路内で詰まった用紙を取り除くことができるように構成されていた。また、ユーザーが紙ジャムの処理を行う際、ユーザーが怪我をしないように安全機能を有する安全機構が設けられていた。
【先行技術文献】
【特許文献】
【０００３】
【特許文献１】特開平１１−９５６２７号公報
【特許文献２】特開２０００−１９８８５号公報
【特許文献３】特開２００４−２６４５１８号公報
【発明の概要】
【発明が解決しようとする課題】
【０００４】
ところが、特許文献１〜３に示された画像形成装置は感光体ドラムを有する所謂、レーザープリンターである。つまり、所定の方向へ移動可能なキャリッジを有さない構成である。  
ここで、所定の方向へ移動可能なキャリッジを有する記録装置では、前記キャリッジを有することによる特有の問題がある。前記キャリッジには可撓性部材が接続されているのが一般的である。そして、紙ジャムが生じた場合、ユーザーの手がキャリッジ近傍に手を入れて詰まった用紙を取り除こうとする。ここで、記録装置のケースの外から内部へアクセスするための開口部を前記ケースにおける上面ではなく、前記キャリッジより記録時の送り方向下流側の面に設けることが考えられる。この理由は、異物がケースの内部に入ることを防止するためである。
【０００５】
しかしながら、前記ケースにおける前記送り方向下流側の面に前記開口部を設けると、詰まった用紙を取り除こうとする際、ユーザーの手が前記可撓性部材に触れてしまう虞が新たに生じる。係る場合、ユーザーの手が汚れる虞がある。また、前記可撓性部材が破損する虞がある。
【０００６】
本発明は、このような状況に鑑み成されたものであり、その課題は、経路内に詰まった被記録媒体を取り除く際、キャリッジに接続された可撓性部材に手が接触してしまうことを考慮した記録装置を提供することである。
【課題を解決するための手段】
【０００７】
上記課題を達成するため、本発明の一つの態様は、被記録媒体を送り方向へ搬送する搬送手段と、被記録媒体が送られる経路である送り経路と、少なくとも前記送り経路を覆うケースと、前記搬送手段より記録時の送り方向下流側に設けられ、被記録媒体に対してインクを吐出して記録する記録ヘッドを有し、被記録媒体の幅方向へ移動するキャリッジと、前記送り経路の送り方向と直交する前記ケースの面に設けられ、前記送り経路において被記録媒体が詰まった場合に、詰まった被記録媒体を前記ケースの内部の前記送り経路から除去するために、前記ケースにおける前記キャリッジより記録時の送り方向下流側に設けられた開口部と、前記キャリッジに接続されている可撓性部材を保護する保護部材と、を備え、前記可撓性部材は、前記キャリッジから一つの方向に延設されており、前記キャリッジが幅方向の一端側から他端側へ移動することに伴い、前記可撓性部材が描く弧の大きさが小さくなり、前記他端側から前記一端側へ移動することに伴い、前記可撓性部材が描く弧の大きさが大きくなる構成であり、前記保護部材は、鉛直方向で前記可撓性部材と重なるように、前記開口部における前記鉛直方向の下方から、前記ケース内の前記送り経路の上流側へ延びることを特徴とする。
また、本発明の第１の態様の記録装置は、被記録媒体を送り方向へ搬送する搬送手段と、被記録媒体が送られる経路である送り経路と、少なくとも前記送り経路を覆うケースと、前記搬送手段より記録時の送り方向下流側に設けられ、被記録媒体に対してインクを吐出して記録する記録ヘッドを有し、被記録媒体の幅方向へ移動するキャリッジと、前記送り経路において被記録媒体が詰まった場合に、詰まった被記録媒体を前記ケースの内部の前記送り経路から除去するために、前記ケースにおける前記キャリッジより記録時の送り方向下流側に設けられた開口部と、前記キャリッジに接続されている可撓性部材を保護する保護部材と、を備え、該保護部材は、前記キャリッジの移動に伴って前記可撓性部材が移動する範囲に応じた形状を有しており、該可撓性部材が移動する範囲に応じた形状が、前記開口部と前記送り経路との間に設けられていることを特徴とする。
【０００８】
本態様によれば、前記送り経路に被記録媒体が詰まる所謂、ジャムが生じた場合に、ユーザーが前記開口部から手を入れて詰まった被記録媒体を除去する際、ユーザーの手が前記可撓性部材に触れることを防止することができる。  
従って、前記可撓性部材にインクが付着していた場合に、該付着していたインクによって手が汚れる虞がない。  
尚、例えば、前記可撓性部材としてインクチューブやフラットケーブル（平型電線ともいう）を挙げることができる。
【０００９】
また、前記可撓性部材としてのインクチューブやフラットケーブルが破損してしまう虞がない。  
またさらに、インクチューブやフラットケーブルが前記キャリッジの接続部から抜けてしまう虞がない。さらに、結果的にインクチューブやフラットケーブルを沿わせている前記開口部側に設けられた板金部材に手が触れることにより怪我をする虞もない。
【００１０】
本発明の第２の態様は、第１の態様において、前記可撓性部材は、インクチューブであることを特徴とする。  
本態様によれば、第１の態様と同様の作用効果に加え、係る場合に、前記保護部材を有する構成は特に有効である。
【００１１】
本発明の第３の態様は、第１または第２の態様において、前記可撓性部材は、電線であることを特徴とする。  
本態様によれば、第１または第２の態様と同様の作用効果に加え、係る場合に、前記保護部材を有する構成は特に有効である。
【００１２】
本発明の第４の態様は、第１から第３のいずれか一の態様において、前記ケースの外部から前記開口部を介して内部へ向かって見て、前記保護部材における前記可撓性部材が移動する範囲に応じた形状は、少なくとも前記可撓性部材が移動する範囲を覆う形状であることを特徴とする。  
本態様によれば、第１から第３のいずれか一の態様と同様の作用効果に加え、ユーザーの手が前記可撓性部材に触れることを確実に防止することができる。また、必要最小限の範囲を覆うことにより、ユーザーが詰まった被記録媒体にアクセスすることを妨げないようにすることができる。つまり、ユーザーの手が前記可撓性部材に触れることを防止することと、詰まった被記録媒体へのアクセスを容易にすることとを両立することができる。
【００１３】
本発明の第５の態様は、第４の態様において、前記キャリッジが幅方向の一端側から他端側へ移動することに伴い、前記可撓性部材が描く弧の大きさが小さくなり、前記他端側から前記一端側へ移動することに伴い、前記可撓性部材が描く弧の大きさが大きくなる構成であり、前記保護部材における前記可撓性部材が移動する範囲に応じた形状は、前記一端側が前記他端側よりも記録時の送り方向上流側へ延びている形状であることを特徴とする。
【００１４】
本態様によれば、第４の態様と同様の作用効果に加え、前記保護部材の形状は、前記他端側が送り方向上流側へ延びている長さが前記一端側より短い形状である。従って、特に前記他端側において、ユーザーは詰まった被記録媒体へアクセスしやすい。その結果、容易に、前記両立することができる。  
尚、ユーザーは、前記他端側から前記一端側へ回り込むように手を伸ばすことで、前記一端側において詰まった被記録媒体へもアクセスすることができる。
【図面の簡単な説明】
【００１５】
【図１】本実施例のカバー部材が閉じた状態のプリンター全体を示す前方斜視図。
【図２】本実施例のカバー部材が開いた状態のプリンター全体を示す前方斜視図。
【図３】本実施例のプリンター内部の概略を示す側断面図。
【図４】本実施例のプリンター内部の概略を示す平面断面図。
【図５】本実施例のケースの外部から第１開口部を介して内部へ向かって見た斜視図。
【発明を実施するための形態】
【００１６】
以下、本発明の実施の形態を図面に基づいて説明する。  
図１に示すのは、本実施例のカバー部材６が閉じた状態のプリンター複合機１全体を示す前方斜視図である。また、図２に示すのは、本実施例のカバー部材６が開いた状態のプリンター複合機１全体を示す前方斜視図である。またさらに、図３に示すのは、本実施例のプリンター複合機１の内部の概略を示す側断面図である。
【００１７】
図１〜図３に示す如く、本実施例のプリンター複合機１は、プリンター本体２と、媒体搬送装置３３とを備えている。このうち、プリンター本体２は、スキャナー部１２と、操作部９と、載置部１３と、搬送手段１６と、送り経路２３と、記録部２５と、排出手段３６と、第１排出スタッカー３１と、ケース３と、カバー部材６と、を備えている。  
スキャナー部１２は、プリンター本体２における媒体搬送装置３３側である上方（Ｚ軸の矢印方向）に配設されている。ここで、Ｚ軸は、鉛直方向である。
【００１８】
そして、スキャナー部１２は、媒体搬送装置３３によって、送られた用紙Ｓの面に記録された写真や文書等の情報を読み取ることができるように構成されている。また、操作部９は、表示部１１と、ボタン１０とを有している。そして、ユーザーがボタン１０や表示部１１によって指示を入力する操作して、プリンター複合機１の設定条件の変更や、各種実行指示をすることができるように設けられている。  
尚、本実施例において、プリンター複合機１における操作部９が設けられている側がプリンター複合機１の前側である。つまり、正面（前面３ａ）である。
【００１９】
またさらに、載置部１３は、被記録媒体の一例である用紙Ｐを載置することができるように設けられている。本実施例では第１載置部１４と、第２載置部１５とがある。第１載置部１４は、プリンター本体２の後方に設けられたペーパーサポート１４ａおよびホッパー１４ｂである。このうち、ホッパー１４ｂは、上方（Ｚ軸の矢印方向）を中心に下方が後述する第１ローラー１７に対して接離移動することができるように構成されている。一方、第２載置部１５は、プリンター本体２の下方に着脱可能に設けられたカセット部１５ａである。
【００２０】
また、搬送手段１６は、載置部１３に載置された用紙Ｐを記録部２５へ送ることができるように設けられている。具体的に、本実施例の搬送手段１６は、第１ローラー１７と、第２ローラー１８と、第３ローラー１９と、第１ローラー対２１とを有している。またさらに、排出手段３６は、第２ローラー対３７を有している。  
このうち、第１ローラー１７は、第１ローラー１７に対してホッパー１４ｂの下方が接近したとき、最上位の用紙Ｐと接触し、送り方向下流側の第２ローラー１８へ送ることができるように設けられている。
【００２１】
また、第３ローラー１９は、カセット部１５ａに対して接離移動可能なアーム部２０の自由端に設けられている。そして、カセット部１５ａにおける最上位に用紙Ｐと接触し、用紙Ｐを送り方向下流側の第２ローラー１８へ送ることができるように設けられている。またさらに、第２ローラー１８は、第１ローラー１７および第３ローラー１９によって送られてきた用紙Ｐをさらに下流側の第１ローラー対２１へ送ることができるように設けられている。
【００２２】
また、第１ローラー対２１は、記録時の送り方向下流側（Ｙ軸の矢印方向）の記録部２５および第２ローラー対３７へ用紙Ｐを送ることができるように設けられている。またさらに、第２ローラー対３７は、記録部２５より記録時の送り方向下流側に設けられており、記録部２５によって記録された用紙Ｐを第１排出スタッカー３１へ排出することができるように設けられている。
【００２３】
またさらに、送り経路２３は、用紙Ｐが送られる経路であり、案内部材によって構成されている。具体的には、用紙Ｐを載置部１３から記録部２５を介して第１排出スタッカー３１まで案内することができるように構成されている。  
また、記録部２５は、搬送手段１６によって送られた用紙Ｐに対してインクを吐出して記録を実行することができるように構成されている。具体的には、記録部２５は、キャリッジ２６と、記録ヘッド２７と、媒体支持部２８とを有している。
【００２４】
このうち、キャリッジ２６は、一例として図示しないモーターの動力によって用紙Ｐの幅方向Ｘに延設された図示しないガイド部材にガイドされながら移動することができるように構成されている。また、記録ヘッド２７は、キャリッジ２６における用紙Ｐと対向する側に設けられている。さらに、記録ヘッド２７における用紙Ｐと対向する面には、インクを吐出するノズル（図示せず）が形成されている。またさらに、媒体支持部２８は、記録ヘッド２７と対向する位置に設けられており、用紙Ｐと記録ヘッド２７との間の距離を所定の長さに保つことができるように構成されている。  
またさらに、第１排出スタッカー３１は、記録された用紙Ｐを載置することができるように設けられている。また、第１排出スタッカー３１は伸縮自在に設けられている。
【００２５】
尚、送り経路２３とは別に、用紙Ｐの裏表を反転させるための表裏反転用経路２４が設けられている。両面記録モードの場合、用紙Ｐの表面に対しての記録後に、第１ローラー対２１および第２ローラー対３７によって用紙Ｐは、記録時の送り方向Ｙと逆方向へ逆送りされる。そして、表裏反転用経路２４へ送られ、第２ローラー１８の下側から上側へ回り込んで再び第１ローラー対２１へ送られる。この際、既に記録された表面が媒体支持部２８側となり、まだ記録されていない裏面が記録ヘッド２７側となる。そして、第１ローラー対２１によって記録時の送り方向下流側へ送られ、記録部２５によって裏面に対して記録が実行されるように構成されている。
【００２６】
また、ケース３は、プリンター本体２の筐体である。送り経路２３等を覆うように構成されている。  
図２に示す如く、本実施例では、ケース３の前面３ａに第１開口部４と、第２開口部５とが形成されている。このうち、第１開口部４は、送り経路２３に用紙Ｐが詰まった場合において該詰まった用紙Ｐを送り経路２３から取り除くために設けられたものである。ユーザーが、第１開口部４から送り経路２３における用紙Ｐが詰まった箇所（例えば第１ローラー対２１近傍）へアクセスして詰まった用紙Ｐを取り除く処理を行う。
【００２７】
一方、第２開口部５は、記録ヘッド２７へインクを供給するインクカートリッジ８がケース３の内部のインクカートリッジ８の装着位置である第１所定位置Ａへ取り付けられており、インクカートリッジ８を交換するために設けられたものである。ユーザーが、第２開口部５から第１所定位置Ａへアクセスして空になったインクカートリッジ８を取り外し、インクが充填されている別のインクカートリッジ８（新しいインクカートリッジ）を第１所定位置Ａへ取り付ける交換処理を行う。
【００２８】
またさらに、カバー部材６は、ケース３の前面３ａに開閉可能に取り付けられている。また、一対のヒンジ部７を中心に上方（Ｚ軸の矢印方向）の自由端側が前方へ倒れるようにして開くように構成されている。さらに、本実施例において、カバー部材６が閉まった状態では、カバー部材６が、第１開口部４および第２開口部５を覆うように構成されている。
【００２９】
一方、媒体搬送装置３３は、プリンター本体２の上方（Ｚ軸の矢印方向）に配設されている。詳しい図示は省略するが、プリンター本体２側のスキャナー部１２と対向する第２所定位置に対して第３載置部３４に載置された用紙Ｓを搬送経路（図示せず）によって送ることができるように設けられている。そして、スキャナー部１２によって用紙Ｓの面に記録された情報が読み取られる。その後、媒体搬送装置３３は、用紙Ｓを第２排出スタッカー３５まで送って排出することができるように設けられている。
【００３０】
図２に示す如く、本実施例において、プリンター本体２の前面３ａに設けられたカバー部材６を開けることにより、第１開口部４および第２開口部５が現れる。従って、ユーザーは、第１開口部４からアクセスして詰まった用紙Ｐを取り除くことができる。また、インクカートリッジ８を交換することもできる。つまり、一のカバー部材６を開くだけで、用紙詰まり、およびインク切れの両方に対応することができる。その結果、第１開口部４および第２開口部５が別々のカバーによって覆われている構成と比較して、操作性がよい。また、部品点数を減らすことができ、コストも抑えることができる。
【００３１】
また、図３に示す如く、インクカートリッジ８からキャリッジ２６の記録ヘッド２７へインクを供給するために、インクカートリッジ８側から延びたインクチューブ２９がキャリッジ２６に接続されている。  
またさらに、図２および図３に示す如く、第１開口部４から送り経路２３へアクセスする経路上に、詳しくは後述する保護部材３２における可撓性部材（２９、３０）が移動する範囲Ｂ（図４および図５参照）に応じた形状３２ｄが設けられている。
【００３２】
保護部材３２の前記形状３２ｄは、ケース３の外部から第１開口部４を介して内部を見て、キャリッジ２６に接続されたインクチューブ２９を覆うように形成されている。従って、ユーザーが第１開口部４から手を入れて送り経路２３へアクセスした際、ユーザーの手がインクチューブ２９に触れることを防止することができる。その結果、ユーザーの手が、例えば、インクチューブ２９に付着したインクミストによって汚れる虞がない。また、インクチューブ２９が破損する虞や、インクチューブ２９がキャリッジ２６から引き抜かれてしまう虞がない。またさらに、インクチューブ２９と同様に引き回されているフラットケーブル等の配線ケーブル３０がキャリッジ２６から引き抜かれてしまう虞がない。
【００３３】
また、本実施例の第１開口部４は、プリンター本体２のケース３における前面３ａに設けられている。従って、カバー部材６を開いて詰まった用紙Ｐを取り除く際、ケース３の外でクリップ等の異物を落としてしまった場合であっても、該異物がケース３の内部に入ってしまう虞がない。  
またさらに、本実施例では、プリンター本体２の上面にスキャナー部１２が設けられている。本実施例の第１開口部４は、プリンター本体２のケース３における前面３ａに設けられているため、ユーザーは、比較的重たいスキャナー部１２を上方（Ｚ軸の矢印方向）へ揺動させる必要がない。その結果、送り経路２３における詰まった用紙Ｐが位置する箇所へ容易にアクセスすることができる。
【００３４】
また、ケース３の前面３ａに第１開口部４を設けることにより、ユーザーは、詰まった用紙Ｐを取り除く際、用紙Ｐの送り方向下流側から上流側へ向かってアクセスするように構成することができる。ここで、開口部を上面に設けた場合は、通常、用紙Ｐの広い範囲の面が見えるように大きく開口部を配設する。従って、第１開口部４をケース３の前面３ａに設けることにより、上面に設けた場合と比較して、第１開口部４の大きさを小さくすることができる。
【００３５】
そして、前記小さくした分、ケース３の強度を高めることができる。その結果、ケース３が強度不足となる虞がない。  
またさらに、カバー部材６は前方へ倒れるようにして開くので、ケース３の上面に設けられるスキャナー部１２や媒体搬送装置３３等によって開閉が妨げられる虞がない。さらに、カバーの下端が上方へ開く構成と比較して、開いた状態のカバー部材６が邪魔にならないので、ユーザーは、第１開口部４を介してケース３の内部を容易に見ることができる。
【００３６】
続いて、保護部材３２についてより詳しく説明する。  
図４に示すのは、本実施例のプリンター内部の概略を示す平面断面図である。また、図５に示すのは、本実施例のケース３の外部から第１開口部４を介して内部へ向かって見た斜視図である。尚、インクチューブ２９の位置および形状についての理解を容易にするために、図５において第１接続部３８〜第３接続部４０および配線ケーブル３０の図示は省略する。
【００３７】
図４および図５に示す如く、第１開口部４におけるケース３の内側には、前述した保護部材３２が設けられている。保護部材３２は、キャリッジ２６の移動に伴いキャリッジ２６に接続されている可撓性部材の一例であるインクチューブ２９および配線ケーブル３０が移動する範囲Ｂに応じた形状３２ｄを有している。  
本実施例では、キャリッジ２６は用紙Ｐの幅方向Ｘへ移動可能に設けられている。また、キャリッジ２６側である第１接続部３８と、インクカートリッジ８側である固定された第２接続部３９とが、インクチューブ２９によって接続されている。
【００３８】
これは、前述したようにインクカートリッジ８のインクをキャリッジ２６側の記録ヘッド２７へ供給するためである。  
また、キャリッジ２６側の第１接続部３８と、幅方向Ｘにおける第２接続部３９が設けられている側と同じ側に固定された第３接続部４０とが、配線ケーブル３０によって接続されている。これは、ノズルからインクを吐出するための電気的な信号を、図示しない制御部からキャリッジ２６側の記録ヘッド２７へ送るためである。
【００３９】
また、インクチューブ２９および配線ケーブル３０における一部２９ａ、３０ａが、カバー部材６より低い位置におけるケース３の内側に沿うように接続されている。またさらに、インクチューブ２９および配線ケーブル３０におけるケース３の内側に沿っている部分２９ａ、３０ａと、キャリッジ２６の第１接続部３８との間の部分２９ｂ、３０ｂが、弧を描くように撓んでいる。
【００４０】
本実施例では、Ｘ軸方向のキャリッジ２６の移動可能な範囲におけるＸ軸の矢印の下流端（図４における左側）にキャリッジ２６が位置するとき、インクチューブ２９および配線ケーブル３０における前記間の部分２９ｂ、３０ｂは、径が大きな弧を描くように撓んでいる（図４における実線および一点鎖線）。  
そして、キャリッジ２６が前記移動可能な範囲におけるＸ軸の矢印の下流端から上流側へ移動すると、キャリッジ２６の移動に伴ってインクチューブ２９および配線ケーブル３０における前記間の部分２９ｂ、３０ｂの一部がケース３の内側に沿うように変形する。
【００４１】
つまり、インクチューブ２９および配線ケーブル３０におけるケース３の内側に沿っている部分２９ａ、３０ａの割合が増加する。一方、弧を描くように撓んでいる前記間の部分２９ｂ、３０ｂの割合が減少し、インクチューブ２９および配線ケーブル３０における前記間の部分２９ｂ、３０ｂの弧の径が小さくなる。  
そして、Ｘ軸方向のキャリッジ２６の移動可能な範囲におけるＸ軸の矢印の上流端（図４における右側）までキャリッジ２６が移動したとき、インクチューブ２９および配線ケーブル３０における前記間の部分２９ｂ、３０ｂは、径が小さな弧を描くように撓んでいる（図４における二点鎖線）。
【００４２】
反対に、キャリッジ２６が前記移動可能な範囲におけるＸ軸の矢印の上流端から下流側へ移動すると、キャリッジ２６の移動に伴ってインクチューブ２９および配線ケーブル３０における前記沿っている部分２９ａ、３０ａの一部がケース３の内側から離間するように変形する。つまり、インクチューブ２９および配線ケーブル３０におけるケース３の内側に沿っている部分２９ａ、３０ａの割合が減少する。
【００４３】
一方、弧を描くように撓んでいる前記間の部分２９ｂ、３０ｂの割合が増加し、インクチューブ２９および配線ケーブル３０における前記間の部分２９ｂ、３０ｂの弧の径が大きくなる。  
そして、Ｘ軸方向のキャリッジ２６の移動可能な範囲におけるＸ軸の矢印の下流端（図４における左側）までキャリッジ２６が移動したとき、インクチューブ２９および配線ケーブル３０における前記間の部分２９ｂ、３０ｂは、径が大きな弧を描くように撓んでいる（図４における実線および一点鎖線）。
【００４４】
このように、キャリッジ２６の移動に伴って、インクチューブ２９および配線ケーブル３０の第１接続部３８側の位置が移動すると共に、インクチューブ２９および配線ケーブル３０の撓み方が変化する。この際のインクチューブ２９および配線ケーブル３０の移動範囲Ｂに応じた形状３２ｄを保護部材３２が有している。  
具体的には、保護部材３２の前記応じた形状３２ｄは、幅方向ＸにおけるＸ軸の矢印の下流側の部分３２ａが、Ｘ軸の矢印の上流側の部分３２ｂよりも、Ｙ軸の矢印の上流側へ延びた形状である。この形状によって、少なくともプリンター複合機１の前方において、図５に示す如く、ケース３の外部から第１開口部４を介してケース３の内部を見たとき、キャリッジ２６の位置に拘わらずインクチューブ２９および配線ケーブル３０を常に覆うことができる。
【００４５】
通常、プリンター複合機１が停止した状態、つまり、現在記録を実行していない状態（用紙Ｐが詰まったときを含む）では、キャリッジ２６は、移動可能な範囲におけるＸ軸の矢印に下流端または上流端のいずれかに位置する。つまり、キャリッジ２６は用紙Ｐが送られる範囲より外側に位置する。従って、用紙詰まりが生じた場合、ユーザーは、カバー部材６を開いて、第１開口部４から詰まった用紙Ｐが位置する箇所まで手を入れて、詰まった用紙Ｐを取り除くことができる。
【００４６】
この際、前述したように、ユーザーの手がインクチューブ２９に触れることを防止することができる。その結果、ユーザーの手が、例えば、インクチューブ２９に付着したインクミストによって汚れる虞がない。また、インクチューブ２９が破損する虞や、インクチューブ２９がキャリッジ２６から引き抜かれてしまう虞がない。またさらに、インクチューブ２９と同様に引き回されている配線ケーブル３０がキャリッジ２６から引き抜かれてしまう虞がない。
【００４７】
また、保護部材３２の前記応じた形状３２ｄにおいて、幅方向ＸにおけるＸ軸の矢印の上流側の部分３２ｂが、Ｘ軸の矢印の下流側の部分３２ａよりも、Ｙ軸の矢印の上流側へ延びている距離が短い。従って、幅方向ＸにおけるＸ軸の矢印の上流側からＹ軸の矢印の上流側へ手を入れやすくすることができ、詰まった用紙Ｐが位置する箇所（例えば第１ローラー対２１近傍）まで、確実に手が届く。つまり、インクチューブ２９および配線ケーブル３０と、手との接触を防止することと、詰まった用紙Ｐへのアクセスの容易性との両立を図ることができる。  
また、保護部材３２の前記応じた形状３２ｄを設けたことによって、結果的に、ケース３に内側に設けられた板金部材（図示せず）のエッジに手が触れて怪我をしてしまうことをも防止することができる。
【００４８】
尚、移動可能な範囲におけるＸ軸の矢印に下流端または上流端のいずれかに位置にキャリッジ２６が停止しているときに保護部材３２が効果的である旨を説明したが、停止している位置は、前記移動可能な範囲におけるＸ軸の矢印に下流端および上流端に限らない。何らかの原因でキャリッジ２６が前記移動可能な範囲におけるＸ軸の矢印に下流端と上流端との間で停止した場合であっても、常にインクチューブ２９および配線ケーブル３０は保護部材３２の前記応じた形状３２ｄに覆われている。係る場合であっても、保護部材３２を有する構成は効果的である。
【００４９】
また、保護部材３２の前記応じた形状３２ｄにおけるＹ軸の矢印の上流側の端部３２ｃは、ケース３の外部から第１開口部４を介して見える範囲内において、鈍角な角はあるが鋭角な角はない形状である。この形状によって、ユーザーの手が引っ掛かる虞がない。  
またさらに、保護部材３２は、前述したように、キャリッジ２６の移動に伴いキャリッジ２６に接続されている可撓性部材が移動する範囲Ｂに応じた形状３２ｄを有していればよく、全体してはどのような形状であってもよい。例えば、保護部材３２がケース３の一部を構成する形状であってもよい。つまり、保護部材３２が全体として、ケース３の一部を含む構成でもよい。
【００５０】
本実施例の記録装置としてのプリンター本体２は、被記録媒体の一例である用紙Ｐを送り方向へ搬送する搬送手段１６と、用紙Ｐが送られる経路である送り経路２３と、少なくとも送り経路２３を覆うケース３と、搬送手段１６より記録時の送り方向下流側（Ｙ軸の矢印の下流側）に設けられ、用紙Ｐに対してインクを吐出して記録する記録ヘッド２７を有し、用紙Ｐの幅方向Ｘへ移動するキャリッジ２６と、送り経路２３において用紙Ｐが詰まった場合に、詰まった用紙Ｐをケース３の内部の送り経路２３から除去するためにケース３におけるキャリッジ２６より記録時の送り方向下流側に設けられた開口部である第１開口部４と、キャリッジ２６に接続されている可撓性部材（２９、３０）を保護する保護部材３２と、を備え、保護部材３２は、キャリッジ２６の移動に伴って可撓性部材（２９、３０）が移動する範囲Ｂに応じた形状３２ｄを有しており、可撓性部材（２９、３０）が移動する範囲Ｂに応じた形状３２ｄが、第１開口部４と送り経路２３との間に設けられていることを特徴とする。
【００５１】
また、本実施例において、可撓性部材は、インクチューブ２９であることを特徴とする。  
またさらに、本実施例において、可撓性部材は、電線としての配線ケーブル３０であることを特徴とする。  
また、本実施例において、ケース３の外部から第１開口部４を介して内部へ向かって見て、保護部材３２における可撓性部材（２９、３０）が移動する範囲Ｂに応じた形状３２ｄは、少なくとも可撓性部材（２９、３０）が移動する範囲Ｂを覆う形状であることを特徴とする。
【００５２】
またさらに、本実施例において、キャリッジ２６が幅方向Ｘの一端側であるＸ軸の矢印の下流側から他端側であるＸ軸の矢印の上流側へ移動することに伴い、可撓性部材が描く弧の大きさが小さくなり、Ｘ軸の矢印の上流側からＸ軸の矢印の下流側へ移動することに伴い、可撓性部材が描く弧の大きさが大きくなる構成であり、保護部材３２における可撓性部材（２９、３０）が移動する範囲Ｂに応じた形状３２ｄは、Ｘ軸の矢印の下流側の部分３２ａがＸ軸の矢印の上流側の部分３２ｂよりも記録時の送り方向上流側へ延びている形状であることを特徴とする。
【００５３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５４】
１  プリンター複合機、２  プリンター本体、３  ケース、３ａ  前面、
４  第１開口部、５  第２開口部、６  カバー部材、７  ヒンジ部、
８  インクカートリッジ、９  操作部、１０  ボタン、１１  表示部、
１２  スキャナー部（読み取り装置）、１３  載置部、１４  第１載置部、
１４ａ  ペーパーサポート、１４ｂ  ホッパー、１５  第２載置部、
１５ａ  カセット部、１６  搬送手段、１７  第１ローラー、１８  第２ローラー、
１９  第３ローラー、２０  アーム部、２１  第１ローラー対、２３  送り経路、
２４  表裏反転用経路、２５  記録部、２６  キャリッジ、２７  記録ヘッド、
２８  媒体支持部、２９  インクチューブ、２９ａ  ケースの内側に沿っている部分、
２９ｂ  間の部分、３０  配線ケーブル、３０ａ  ケースの内側に沿っている部分、
３０ｂ  間の部分、３１  第１排出スタッカー、３２  保護部材、
３２ａ  Ｘ軸の矢印の下流側の部分、３２ｂ  Ｘ軸の矢印の上流側の部分、
３２ｃ  端部、３２ｄ  可撓性部材が移動する範囲に応じた形状、３３  媒体搬送装置、
３４  第３載置部、３５  第２排出スタッカー、３６  排出手段、
３７  第２ローラー対、３８  第１接続部、３９  第２接続部、４０  第３接続部、
Ａ  インクカートリッジの装着位置（第１所定位置）、
Ｂ  インクチューブおよび配線ケーブルが移動する範囲、
Ｐ  プリンター本体で送られる用紙、Ｓ  媒体搬送装置で送られる用紙、Ｘ  幅方向、
Ｙ  記録時の送り方向、Ｚ  鉛直方向
【図１】
0005787055.tif 000002
【図２】
0005787055.tif 000003
【図３】
0005787055.tif 000004
【図４】
0005787055.tif 000005
【図５】
0005787055.tif 000006